【手続補正書】
【提出日】平成23年9月29日(2011.9.29)
【手続補正１】
【補正対象書類名】明細書
【補正対象項目名】０００５
【補正方法】変更
【補正の内容】
【０００５】
以上の課題を解決するため、本発明の一の態様によれば、複数の光学シートを互いに積層してなる光学シート積層体であって、
前記複数の光学シートはそれぞれ、シート本体と、前記シート本体の周縁部に、該周縁部から外側に向かう方向に突出して設けられる複数の突出部と、を有し、
前記各シート本体の形状は四角形であり、
前記複数の突出部は、前記各シート本体の対向する２辺に設けられ、
前記複数の突出部における１つの特定の突出部と、前記複数の突出部における前記特定の突出部を除く他の突出部とは、互いに形状が異なり、
前記複数の光学シートは、前記複数の突出部のうちの少なくとも２つの前記突出部同士のみで互いに接合されていることを特徴とする光学シート積層体が提供される。
好ましくは、前記複数の突出部は、前記各シート本体の中心に関して点対称となる位置に配置されている。
好ましくは、前記複数の光学シートは、前記複数の突出部における、前記各シート本体の中心に関して互いに点対称となる位置に配置された２つの前記突起部同士で接合されている。
好ましくは、前記特定の突出部は前記シート本体の周縁に沿う方向の幅が第１の値を有し、前記他の突出部は、前記シート本体の周縁に沿う方向の幅が前記第１の値より小さい第２の値を有している。
好ましくは、前記シート本体の前記対向する２辺の各々に設けられる前記突出部の数が異なっている。
好ましくは、前記各光学シートの前記突出部は溶着により互いに接合されている。
好ましくは、複数の前記光学シートには、拡散シート及びレンズシートが含まれる。
【手続補正２】
【補正対象書類名】明細書
【補正対象項目名】０００６
【補正方法】変更
【補正の内容】
【０００６】
本発明の他の態様によれば、複数の光学シートが互いに積層された光学シート積層体と、面発光装置と、係合部が周囲に形成されたケースと、を備え、
前記複数の光学シートはそれぞれ、シート本体と、前記シート本体の周縁部に、該周縁部から外側に向かう方向に突出して設けられる複数の突出部と、を有し、前記各シート本体の形状は四角形であり、前記複数の突出部は、前記各シート本体の対向する２辺に設けられ、前記複数の突出部における１つの特定の突出部と、前記複数の突出部における前記特定の突出部を除く他の突出部とは、互いに形状が異なり、
前記光学シート積層体において、前記複数の光学シートは、前記複数の突出部のうちの少なくとも２つの前記突出部同士のみで互いに接合されており、
前記ケースの上面に前記面発光装置が載せられると共に、前記面発光装置の上面に前記光学シート積層体が載せられ、前記突出部が前記係合部に係合していることを特徴とするバックライト装置が提供される。
好ましくは、前記複数の突出部は、前記シート本体の中心に関して点対称となる位置に配置されている。
好ましくは、前記複数の光学シートは、前記複数の突出部における、前記シート本体の中心に関して互いに点対称となる位置に配置された２つの前記突起部同士で接合されている。
【手続補正３】
【補正対象書類名】明細書
【補正対象項目名】０００７
【補正方法】変更
【補正の内容】
【０００７】
本発明の他の態様によれば、四角形の複数のシート本体の各々の周縁部の対向する２辺に、該周縁部から外側に向かう方向に突出する複数の突出部を設け、前記複数の突出部における１つの特定の突出部の形状と、前記複数の突出部における前記特定の突出部を除く他の突出部の形状とを互いに異ならせ、
前記複数のシート本体を積層すると共に前記複数の突出部を積層し、
前記複数のシートを前記複数の突出部のうちの少なくとも２つの前記突出部同士のみで互いに接合することを特徴とする光学シート積層体の製造方法が提供される。
好ましくは、前記複数の光学シートを接合する前記２つの突出部を、前記各シート本体の中心に関して互いに点対称となる位置に配置された２つの前記突起部に設定する。
【手続補正４】
【補正対象書類名】特許請求の範囲
【補正対象項目名】全文
【補正方法】変更
【補正の内容】
【特許請求の範囲】
【請求項１】
複数の光学シートを互いに積層してなる光学シート積層体であって、
前記複数の光学シートはそれぞれ、シート本体と、前記シート本体の周縁部に、該周縁部から外側に向かう方向に突出して設けられる複数の突出部と、を有し、
前記各シート本体の形状は四角形であり、
前記複数の突出部は、前記各シート本体の対向する２辺に設けられ、
前記複数の突出部における１つの特定の突出部と、前記複数の突出部における前記特定の突出部を除く他の突出部とは、互いに形状が異なり、
前記複数の光学シートは、前記複数の突出部のうちの少なくとも２つの前記突出部同士のみで互いに接合されていることを特徴とする光学シート積層体。
【請求項２】
前記複数の突出部は、前記各シート本体の中心に関して点対称となる位置に配置されていることを特徴とする請求項１に記載の光学シート積層体。
【請求項３】
前記複数の光学シートは、前記複数の突出部における、前記各シート本体の中心に関して互いに点対称となる位置に配置された２つの前記突起部同士で接合されていることを特徴とする請求項２に記載の光学シート積層体。
【請求項４】
前記特定の突出部は前記シート本体の周縁に沿う方向の幅が第１の値を有し、前記他の突出部は、前記シート本体の周縁に沿う方向の幅が前記第１の値より小さい第２の値を有していることを特徴とする請求項３に記載の光学シート積層体。
【請求項５】
前記シート本体の前記対向する２辺の各々に設けられる前記突出部の数が異なっていることを特徴とする請求項１乃至４のいずれか一項に記載の光学シート積層体。
【請求項６】
前記各光学シートの前記突出部は溶着により互いに接合されていることを特徴とする請求項１乃至５のいずれか一項に記載の光学シート積層体。
【請求項７】
複数の前記光学シートには、拡散シート及びレンズシートが含まれることを特徴とする請求項１〜５の何れか一項に記載の光学シート積層体。
【請求項８】
複数の光学シートが互いに積層された光学シート積層体と、面発光装置と、係合部が周囲に形成されたケースと、を備え、
前記複数の光学シートはそれぞれ、シート本体と、前記シート本体の周縁部に、該周縁部から外側に向かう方向に突出して設けられる複数の突出部と、を有し、前記各シート本体の形状は四角形であり、前記複数の突出部は、前記各シート本体の対向する２辺に設けられ、前記複数の突出部における１つの特定の突出部と、前記複数の突出部における前記特定の突出部を除く他の突出部とは、互いに形状が異なり、
前記光学シート積層体において、前記複数の光学シートは、前記複数の突出部のうちの少なくとも２つの前記突出部同士のみで互いに接合されており、
前記ケースの上面に前記面発光装置が載せられると共に、前記面発光装置の上面に前記光学シート積層体が載せられ、前記突出部が前記係合部に係合していることを特徴とするバックライト装置。
【請求項９】
前記複数の突出部は、前記シート本体の中心に関して点対称となる位置に配置されていることを特徴とする請求項８に記載のバックライト装置。
【請求項１０】
前記複数の光学シートは、前記複数の突出部における、前記シート本体の中心に関して互いに点対称となる位置に配置された２つの前記突起部同士で接合されていることを特徴とする請求項９に記載のバックライト装置。
【請求項１１】
四角形の複数のシート本体の各々の周縁部の対向する２辺に、該周縁部から外側に向かう方向に突出する複数の突出部を設け、前記複数の突出部における１つの特定の突出部の形状と、前記複数の突出部における前記特定の突出部を除く他の突出部の形状とを互いに異ならせ、
前記複数のシート本体を積層すると共に前記複数の突出部を積層し、
前記複数のシートを前記複数の突出部のうちの少なくとも２つの前記突出部同士のみで互いに接合することを特徴とする光学シート積層体の製造方法。
【請求項１２】
前記複数の光学シートを接合する前記２つの突出部を、前記各シート本体の中心に関して互いに点対称となる位置に配置された２つの前記突起部に設定することを特徴とする請求項１１に記載の光学シート積層体の製造方法。